(57)【要約】【課題】小計と累計とを同時に算出・表示させると共に、操作数及び操作の種類を低減させることで正確な計算を実行することができる利便性の高い電子式小型計算機を提供する。【解決手段】本発明は、小計が表示される小計表示手段３と、小計表示手段３とは別に設けられ、小計の合計が表示される合計表示手段４と、小計を算出すると共に合計を算出するためのマルチキー５ｄとを備える。このマルチキー５ｄの入力手段の操作を受けて、算出した新たな小計を小計表示手段３に表示すると共に、新たな合計を合計表示手段４に表示する。【選択図】図１
2008191771.tif 000002
【特許請求の範囲】
【請求項１】
計算機能表示方法であって、
小計を算出する毎に、その完了と同時に、該小計を表示する小計表示手段とは別に前記小計の合計を表示することを特徴とする計算機能表示方法。
【請求項２】
電子式小型計算機であって、
小計が表示される小計表示手段と、
前記小計表示手段とは別に設けられ、前記小計の合計が表示される合計表示手段と、
前記合計を記憶する合計記憶手段と、
前記小計を算出すると共に前記合計を算出するための入力手段と、
前記入力手段の操作を受けて、算出した新たな小計を前記小計表示手段に表示すると共に、前記新たな小計を前記合計記憶手段に記憶されている合計に合計処理して新たな合計を算出し、前記新たな合計を前記合計表示手段に表示する制御手段と
を備えることを特徴とする電子式小型計算機。
【請求項３】
前記小計表示手段と前記合計表示手段の形態が相違することを特徴とする請求項２に記載の電子式小型計算機。
【請求項４】
前記制御手段は前記入力手段の操作を受けて、前記合計表示手段の前記合計が表示される領域とは別の領域に、前記小計が算出された回数を表示することを特徴とする請求項２又は３に記載の電子式小型計算機。
【請求項５】
前記制御手段は前記入力手段の操作を受けて、前記小計表示手段の前記小計が表示される領域とは別の領域に、前記小計が算出された回数を表示することを特徴とする請求項２又は３に記載の電子式小型計算機。
【請求項６】
前記小計表示手段及び前記合計表示手段とは別に設けられた前記小計が算出された回数を表示する小計回数表示手段が設けられ、
前記制御手段は前記入力手段の操作を受けて、前記小計回数表示手段に前記小計が算出された回数を表示することを特徴とする請求項２又は３に記載の電子式小型計算機。
【発明の詳細な説明】
【技術分野】
【０００１】
本発明は電子式小型計算機及びその計算機能表示方法、特に棚卸しや家計簿の計算等の簡易な計算時に使用する電子式小型計算機及びその計算機能表示方法に関する。
【背景技術】
【０００２】
棚卸し計算や家計簿の計算等のカテゴリー別に小計を算出した上で合計を算出する計算においては、似た計算が複数回繰り返される他、入力の誤操作等の理由から計算を間違えることが多いので、計算途中で合計を表示させて確認する必要がある。そこで、計算途中又は小計を算出した後に合計を表示させることができる電子式小型計算機がある（特許文献１，２参照）。
【０００３】
例えば、特許文献１に記載の電子式小型計算機は、２つの電卓機能を１つの本体に集約させた複合式卓上電子式計算機（以下、複合式電卓と称す）である。その内部構造は２つに区別されており、２つの計算機部分（発明実施の形態におけるＣＡＬ−ＡとＣＡＬ−Ｂ）を備え、外部構造は２つの計算結果の表示部分とこれら２つの表示部分に共通する１組の入力キー部分とを備えている。
【０００４】
この複合式電卓は、２つの液晶表示部分、２つの切り替えスイッチ、２つの結果入力用キーが設けられている。切り替えスイッチは、表示部分及び内部において入力キーの操作によって入力されている内容を保持したまま、他方に切り替える。結果入力用キーは、一方の表示部分に表示されている結果を、他方へ入力させる。したがって、常に途中の計算結果を確認しながら計算を実行できる。
【０００５】
また、特許文献２に記載の電子式小型計算機は、複数の計算式及び計算結果（以下、複数式と称す）の履歴を複数行にわたって表示可能としたものであり、入力済みの数値を置き換えることで計算式の修正が可能な電子式卓上計算機（以下、電卓と称す）である。また、この電卓は、縦計算という、一又は複数の演算結果の積算値を算出する計算を実行し、その積算値を表示部に表示させることが可能である。すなわち、この電卓は各計算式の計算結果とその積算値とを表示することができる。
【０００６】
この電卓は、実行すべき計算内容等を入力するデータ入力部と、演算結果等を表示する画面である表示部とを備える。データ入力部は、縦計算の演算実行を指示する縦演算キー、表示部内においてデータ入力部からの入力操作の対象となる位置を示すポインタを移動させるポインタ操作器を含む。
【０００７】
【特許文献１】特開２０００−２６８００１号公報。
【特許文献２】特開２００６−０３９７５号公報。
【発明の開示】
【発明が解決しようとする課題】
【０００８】
特許文献１に記載の複合式電卓を用いた計算方法は、一方の計算機部分で計算を実行中に、直前に他方の計算機部分で実行した計算結果を入力させて積算値を計算することはできた。この場合、一方の計算機部分で計算が完了して次に、他方の計算機部分に移行するのに、切り替えスイッチを押す。さらに、一方の計算機部分において計算中、他方の計算結果を入力させるのに、結果入力用のキーを押す。
【０００９】
ここで、複数の小計算の結果である小計を加算して合計を算出する、例えば図１３に記すような計算式Ａにおいて、小計と合計とを別々の液晶表示部分で同時に表示し続ける場合、図１０（２）に示すような入力操作手順（入力操作手順の詳細は特許文献１を参照）が必要であった。このように、２種類の切り替え操作によって小計と合計の算出・表示を別に行っていた。この結果、入力操作数が多く且つ煩雑である。さらに、切り替えスイッチと結果入力用のキーを押す際にキーを選択しなければならないので、操作が滑らかに進行しにくかった。この結果、入力操作時間は長く、入力操作を誤る虞が高かった。また、小計と合計とが２つ液晶表示部分に交互に入れ替わって表示されていたので、小計と合計とを誤認し、計算を間違うことがあった。
【００１０】
そこで、小計と合計とをそれぞれ専用の液晶表示部分で同時に表示し続けるには、例えば、図１０（３）に示すような入力操作手順（入力操作手順の詳細は特許文献１を参照）が必要になる。この場合、一の小計算を一方の計算機部分に入力・実行させて一の小計を表示させる。次に、切り替えスイッチを押して、他方の計算機部分に移行させ、その後＋キー、結果入力用のキーを順に押して、切り替え前の計算機部分の計算結果を加算させる。それから再度切り替えスイッチを押して使用する計算機部分を元に戻す。以下、同じ手順を繰り返す。
【００１１】
しかしながら、小計の算出と合計の算出を別々に行わなければならなかったため、前述した図１０（２）に示す入力操作より入力操作数が増加すると共に操作が煩雑となる。結果として、入力操作時間が長くなり、入力操作を誤る虞が高くなった。
【００１２】
また、この複合式電卓は内部的に２つの電卓を有する仕組みとなっているので、製造コストが高く、さらに、消費電力が多いので経済性が悪かった。
【００１３】
一方、特許文献２に記載の電卓は、縦演算キーの入力操作によって、各計算式（小計算）の積算値すなわち合計を一度に算出して表示させる（縦計算する）ことができた。しかし、縦演算キーの入力操作によって一の縦計算が完了すると、その縦計算での合計は次の縦計算に自動的に反映されず、その合計を直接入力して次の縦計算に反映させなければならなかった。つまり、各縦計算毎に計算処理が完結していた。
【００１４】
ここで、例えば図１３に記す計算式Ａにおいて、各小計と各小計算完了段階での合計を表示する場合は、図１０（４）に示すような入力操作手順が必要であった。一の小計算を入力・実行させて表示させた後に、縦計算を実行せずに、その計算式結果とその直前の小計算までの合計とを直接入力して新たな合計を算出する。このように、小計と合計を別々に行わなければならなかったため、操作が煩雑であり、作業時間が長くなる上、入力操作を誤る虞が高かった。
【００１５】
また、一の小計と合計又は一の小計算と途中の合計を計算する式は、区別無く同一の領域内に混在して表示されるため、表示されている対象を計算途中で忘れてしまうことがあり、計算ミスや再計算になることもあった。
【００１６】
そこで、本発明は、上記の事情を鑑みてなされたものであり、その目的とするところは、小計と合計とを一の入力操作によって同時に算出・表示させると共に、操作数及び操作の種類を低減させることで正確な計算を実行することができる利便性の高い電子式小型計算機を提供することである。
【課題を解決するための手段】
【００１７】
請求項１に記載の発明は、計算機能表示方法であって、小計を算出する毎に、小計を小計表示手段に表示すると同時に、小計表示手段とは別に設けられた、小計の合計を表示する合計表示手段に合計を表示することを特徴とする。この場合、小計を連続して算出・表示しながら合計も算出・表示されるので、操作の種類が低減されて操作を選択する機会が低減される。したがって、操作ミスが軽減されると共に、操作を滑らかに進行する。また、小計と累計を逐一確認すること、早期に誤りを発見することが可能で、再計算が防止される。
【００１８】
請求項２に記載の発明は、電子式小型計算機であって、小計が表示される小計表示手段と、小計表示手段とは別に設けられ、小計の合計が表示される合計表示手段と、合計を記憶する合計記憶手段と、小計を算出すると共に合計を算出するための１つの入力手段と、入力手段の操作を受けて、算出した新たな小計を小計表示手段に表示すると共に、新たな小計を合計記憶手段に記憶されている合計に合計処理して新たな合計を算出し、新たな合計を前記合計表示手段に表示する制御手段とを備える。
【００１９】
このように、入力手段による１回の操作によって小計を算出・表示すると同時に合計を算出・表示することができるので、操作数及び操作の種類が低減されて操作を選択する機会が低減される。したがって、操作ミスが軽減されると共に、操作が滑らかに進行するため操作時間が短縮される。また、小計と累計を逐一確認することができるので、早期に誤りが発見され、再計算が防止される。
【００２０】
小計表示手段と合計表示手段の形態は相違することがある（請求項３）。この場合、小計と合計とが確実に区別されるので、それぞれの誤認が防止される。
【００２１】
さらに、制御手段は入力手段の操作を受けて、合計表示手段の前記合計が表示される領域とは別の領域に、小計が算出された回数を表示することがある（請求項４）。また、制御手段は入力手段の操作を受けて、小計表示手段の小計が表示される領域とは別の領域に、小計が算出された回数を表示することがある（請求項５）。この場合、どの小計後の合計であるかを容易に把握することができるので、計算途中で計算箇所の忘却や誤認が防止される。
【００２２】
小計表示手段及び合計表示手段とは別に設けられた小計が算出された回数を表示する小計回数表示手段が設けられ、制御手段は前記入力手段の操作を受けて、小計回数表示手段に小計が算出された回数を表示することがある（請求項６）。この場合、小計が算出される回数が確実に把握される。
【発明の効果】
【００２３】
本発明は、上記の通り、小計を算出する毎に、小計を小計表示手段に表示すると同時に、小計表示手段とは別に設けられた、小計の合計を表示する合計表示手段に合計を表示するので、小計と累計とを同時に算出・表示させると共に、操作数及び操作の種類を低減し、正確な計算を実行することができる利便性の高い電子式小型計算機を提供することができる。
【発明を実施するための最良の形態】
【００２４】
以下、図面に基づいて本発明の実施の形態を詳細に説明する。
【００２５】
（実施の形態１）
図１に示すように、外部的に電子式小型計算機１は、各部品を収納する基体２と、小計と置数・演算記号等の各種情報を表示するための小計表示手段３と、合計を表示するための合計表示手段４と、置数・演算記号等の各種情報を入力するための入力手段５と、太陽電池６と各種設定処理を行うための各種設定処理手段７とを具備する。ここで、電子式小
型計算機１に表示される数値や記号等は同一方向に揃っており、数値や記号等の頭の向きを上として、その反対を下とする。
【００２６】
基体２は、例えばプラスチック製の略矩形であり、図示されない後述するＣＰＵ８等の集積回路が収納されている。ここで、基体２は、例えば卓上型の場合は、基体幅Ｗ１が５〜１０ｃｍ、基体高さＨ１が１０〜２０ｃｍ、基体厚さＤ１が１〜２ｃｍとなるのが好適である。一方、例えば上着などに収納可能で持ち運びに便利なカード型の場合は、基体幅Ｗ１が５〜１０ｃｍ、基体高さＨ１が１３〜６ｃｍ、基体厚さＤ１が０．１〜０．３ｃｍとなるのが好適である。これらの場合、基体幅Ｗ１と基体高さＨ１の大きさを入れ替える、つまり縦横比を反対することも可能である。
【００２７】
小計表示手段３は、例えばＬＣＤやＥＬディスプレイ、ＰＤＰ等であり、入力手段５と合計表示手段４の間に配置されている。また、基体２が縦長に成形されている場合、小計表示手段幅Ｗ２が基体幅Ｗ１より若干小さい程度であることが望ましい。
【００２８】
合計表示手段４も、例えばＬＣＤやＥＬディスプレイ、ＰＤＰ等であり、小計表示手段３と同一の表示方式であることが望ましい。この場合、大量生産を効率的に行うことができるので、生産コストを削減することができる。ここで、例えば、合計表示手段４の合計表示手段幅Ｗ３が小計表示手段幅Ｗ２と同一寸法で、合計表示手段高さＨ３が小計表示手段高さＨ２より小さく形成されれば、小計と合計とを間違う虞がない。このように合計表示手段４は小計表示手段３と大きさが相違する、すなわち形態が相違することが望ましい。形態の相違は大きさの他に形状や背面の色等であってもよく、小計表示手段３と合計表示手段４とを区別できればよい。
【００２９】
入力手段５は、置数を入力するための置数キー５ａ、演算記号を入力するための演算子キー５ｂ、通常のオールクリアキーやバックスペースキー等その他演算を実行するのに必要な又は補助的な機能を有するその他機能キー５ｃ、小計を完了させ、小計を小計表示手段３に、合計を合計表示手段４に表示させる、すなわち小計を算出すると共に合計を算出するためのマルチキー５ｄ、検算を行うための検算キー５ｅ、税込み計算等の税計算を行うための税計算キー５ｆとを有する。
【００３０】
各種設定処理手段７は、四捨五入（５／４）や切り捨て（ＣＵＴ）・丸め処理せず（Ｆ）の各種設定を行うための丸め処理設定スイッチ７ａ、小数点以下０〜４桁の範囲で丸め処理対象の桁数を設定するための桁数設定スイッチ７ｂを有する。
【００３１】
一方、図２に示すように、電子式小型計算機１は内部にＣＰＵ（ｃｅｎｔｒａｌ  Ｐｒｏｃｅｓｓｉｎｇ  ｕｎｉｔ）８を備えている。ＣＰＵ８は、入力手段５からのキー操作信号に従って、ＲＯＭ（ｒｅａｄ  ｏｎｌｙ  ｍｅｍｏｒｙ）９に予め記憶されているシステムプログラムを起動させ、演算処理に伴い、回路各部の動作制御を実行する。ＣＰＵ８は、入力手段５とＲＯＭ９の他、小計処理手段１０と合計処理手段１１とも接続している。さらに、小計処理手段１０と合計処理手段１１とが互いに接続されている。
【００３２】
ＲＯＭ９には、電子式小型計算機１の全体の動作を司るシステムプログラムと共に、入力順通りの演算処理を行うプログラム又は完全数式通りの演算処理を行うプログラムが予め記憶される。ここで、入力順通りの演算処理を行うプログラムとは、演算子の優先順位に関係なく、演算子が入力される毎にそれまでに入力された計算を逐次処理して途中結果を算出する演算処理プログラムのことをいう。一方、完全数式通りの演算処理を行うプログラムとは、入力された数式が例えば「＝」キー等によって確定するまでその小計算は実行されず、数式内の演算子の優先順位を遵守して小計算を１回で処理する演算処理プログラムのことをいう。本実施の形態においては、入力順通りの演算処理を行うプログラムが搭載されることとする。
【００３３】
小計処理手段１０は、小計表示手段３と小計記憶手段１２を有する。小計表示手段３に適用される表示方式及び小計記憶手段１２に適用される記憶方式は、搭載される演算処理を行うプログラムで相違する。本実施の形態のように入力順通りの演算処理を行うプログラムが搭載される場合、入力手段５の操作に応じて入力される置数と演算子、小計算の途中結果、及び小計算処理されて算出された小計が小計記憶手段１２に書き込まれると同時に、小計表示手段３の所定の領域に表示される。
【００３４】
合計処理手段１１は、合計表示手段４と合計記憶手段１３を有する。合計表示手段４に適用される表示方式及び合計記憶手段１３に適用される記憶方式は、搭載される何れの演算処理を行うプログラムであっても同一である。合計記憶手段１３には、小計の積算値である合計が記憶される。小計が算出される毎にその小計が小計記憶手段１２から送信されて合計記憶手段１３に格納されて合計処理され、既存の合計から新しい合計に更新されて記憶される。合計が合計記憶手段１３に記憶されると同時に、合計表示手段４では合計が更新されて新しい合計が表示される。
【００３５】
上記小計処理の完了はマルチキー５ｄの操作によって実行される。この場合、マルチキー５ｄの操作によって、新しい小計が算出されると同時に、その小計が既存の合計に加算されて新しい合計に更新される。この際、マルチキー５ｄの操作により入力された小計処理完了信号を受けてＣＰＵ８は、小計記憶手段１２で小計処理を実行して、小計を小計表示手段３に表示すると共に、その最新の小計を合計記憶手段１３に送信して合計処理する。この時、合計記憶手段１３に新しい合計を記憶させると同時に合計表示手段４に新しい合計を表示する。
【００３６】
また、上記小計処理の完了は検算キー５ｅの操作によっても実行される。詳細は後述するが、この場合、マルチキー５ｄの操作によって、新しい小計が算出されると同時に、その小計が既存の合計から引き算されて新しい合計に更新される。この際、検算キー５ｅの操作により入力された小計処理完了信号を受けてＣＰＵ８は、小計記憶手段１２で小計処理を実行して、小計を小計表示手段３に表示すると共に、その最新の小計を合計記憶手段１３に送信して検算処理する。この時、合計記憶手段１３に新しい合計を記憶させると同時に合計表示手段４に新しい合計を表示する。
【００３７】
ＲＡＭ１４もＣＰＵ８に接続している。ＲＡＭ１４には、丸め処理フラグが記憶される丸め処理フラグレジスタ１４ａ、丸め桁数フラグが記憶される丸め桁数フラグレジスタ１４ｂの領域が設けられている。例えば、丸め処理フラグは、丸め処理せず（Ｆ）の設定で「０」が、四捨五入（５／４）の設定で「１」が、切り捨て（ＣＵＴ）の設定で「２」がそれぞれセットされる。一方、丸め桁数フラグは、例えば、小数点以下０〜４桁の設定に応じて、「０」〜「４」がセットされる。
【００３８】
次に、図１３に記す計算式Ａの合計を算出する場合を例に、図３の処理手順に従う動作を説明する。この計算式Ａは例えば図１１に示すような棚卸計算に適用することができる。計算式Ａは、小計算（１）「５４００×４＝」、小計算（２）「７９０×１０」、小計算（３）「１０００×８＝」を足し合わせるものである。
【００３９】
最初に、その他機能キー５ｃのＡＣキーを操作することによって、電子式小型計算機１の電源が入ると、ＣＰＵ８は、小計記憶手段１２の数式記憶部１２ａ、合計記憶手段１３にそれぞれ「０」をセットする初期化処理をし（Ｓ０）、図４（１）に示すように小計表示手段３の数値表示領域３ａと合計表示手段４とに「０」を表示した後、図３に示す処理を開始する。
【００４０】
先ず、入力手段５の操作があるか否かを判断する（Ｓ１）。この判断が「Ｎｏ」の場合には、ＣＰＵ８は同判断を繰り返す。入力手段５の操作があれば、その入力手段５が置数キー５ａか否か判断する（Ｓ２）。
【００４１】
上記の処理では、先ず、数値「５４００」を入力するために、始めに、図１に示した入力手段５の置数キー５ａ中のキー「５」を入力操作する。このキー操作は処理Ｓ１で検出され、その検出されたキーが置数キー５ａであることは処理Ｓ２で判断される。  
【００４２】
ＣＰＵ８は、上記のように、入力操作されたキーが置数キーであれば、その置数キー５ａで入力された最初の置数であるか否かを判断する（Ｓ３）。ここでは、小計記憶手段１２の数式記憶部１２ａに格納される置数の直前に格納されている情報が置数であるか否かが判断される。この場合、キー「５」の入力操作は最初の操作であるので、数式記憶部１２ａには電源投入時にセットされた「０」のみが記憶されている。したがって、ＣＰＵ８は数値表示領域３ａ及び数式記憶部１２ａをクリアにして（Ｓ４）、置数処理を行う（Ｓ５）。この結果、図４（２）に示すように数値表示領域３ａに「５」と表示される。ここでＣＰＵ８は待機状態となる。
【００４３】
上記の操作に引き続いて、置数キー５ａの中のキー「４」を入力操作すると、ＣＰＵ８は、処理Ｓ１、Ｓ２で「Ｙｅｓ」と、処理Ｓ３で「Ｎｏ」と判断するので、処理Ｓ４を回避し、処理Ｓ５を実行して、図４（３）に示すように数値表示領域３ａに「５４」と表示する。ここで、新しく入力された「４」を１桁目に配置し、その前に入力された「５」が１桁上位にシフトする。以下、「５４００」の「００」についても同様の操作を繰り返して、図４（４）に示すように数値表示領域３ａに「５４００」と表示する。この時、数式記憶部１２ａにも「５４００」と入力されている。
【００４４】
次に、数式「５４００×４」の「×」を入力するために、図１に示した入力手段５の演算子キー５ｂ中のキー「×」を入力操作する。このキー操作によって、ＣＰＵ８は、処理Ｓ１で「Ｙｅｓ」、処理Ｓ２で「Ｎｏ」と判断し、操作された入力手段５が演算子キー５ｂか否かを判断する（Ｓ６）。この場合、入力された「×」は演算子であるので、それが最初の演算子であるか否かを判断する（Ｓ７）。
【００４５】
ここでは、当該演算子が数式記憶部１２ａに格納される際に他の演算子が存在するか否かが判断される。この場合「×」が数式記憶部１２ａに格納される前には、数値「５４００」のみが格納されていたので、この「×」は最初の演算子である。したがって、ＣＰＵ８は、処理Ｓ７で「Ｙｅｓ」と判断した後に、「×」を数式記憶部１２ａに格納し、図４（５）に示すように小計表示手段３の演算子表示領域３ｂに表示する（Ｓ８）。ここでＣＰＵ８は待機状態となる。
【００４６】
次に、数式「５４００×４」の「×」の後の「４」を入力するために、図１に示した入力手段５の置数キー５ａ中のキー「４」を入力操作する。この「４」の入力前に数式記憶部１２ａに格納される置数の直前に格納されている情報は演算子であるので、ＣＰＵ８は、処理Ｓ１、Ｓ２で「Ｙｅｓ」と判断した後に、最初の置数であると判断し（Ｓ３で「Ｙｅｓ」）、小計表示手段３の数値表示領域３ａをクリアにし（Ｓ４）、置数処理を行う（Ｓ５）。したがって、図４（６）に示すように数値表示領域３ａには「４」が表示される。
【００４７】
ここで、数式「５４００×４」を計算するため、すなわち小計算（１）を実行するために、マルチキー５ｄを入力操作する。このキー操作によって、ＣＰＵ８は、処理Ｓ１で「Ｙｅｓ」、処理Ｓ２・Ｓ６で「Ｎｏ」と判断し、操作された入力手段５がマルチキー５ｄか否かを判断する（Ｓ１１）。この場合、操作された入力手段５はマルチキー５ｄであるので、ＣＰＵ８は、処理Ｓ１１を「Ｙｅｓ」と判断する。
【００４８】
ＣＰＵ８は、上記のように入力操作されたキーがマルチキー５ｄであれば、記号記憶部１２ｃにマルチキーを示す情報「Ｍ」があるか否かを判断する（Ｓ１２）。ここでは、記号記憶部１２ｃに格納されている情報がないので、ＣＰＵ８は記号表示領域３ｃと記号記憶部１２ｃとをクリアにし（Ｓ１３）、「Ｍ」を記号記憶部１２ｃに格納し、記号表示領域３ｃに表示する（Ｓ１４）。
【００４９】
ＣＰＵ８は、上記のように「Ｍ」が記号表示領域３ｃに格納されると、数式記憶部１２ａの最後に格納されている情報が演算子であるか否かを判断する（Ｓ１５）。つまり、入力された数式が適切に表現されているか否かを確認する。ここでは、「４」が最後に格納された情報であるので、ＣＰＵ８は処理Ｓ１５を「Ｎｏ」と判断し、数式「５４００×４」を計算、すなわち小計算（１）を実行して（Ｓ１７）、小計処理する（Ｓ１８）。小計処理とは、数値表示領域３ａ及び演算子表示領域３ｂ並びに数式記憶部１２ａをクリアにして、小計算（１）の実行により算出された小計を小計記憶部１２ｂに格納すると共に、その小計を数値表示領域３ａに表示することである。
【００５０】
さらに、この後に合計を実行し（Ｓ１９）、合計処理する（Ｓ２０）。合計処理とは、算出された最新の小計を合計記憶手段１３に格納し、マルチキー５ｄの操作前から合計記憶手段１３に格納されている合計に加算して新しい合計を格納すると共に、新しい合計を合計表示手段４に表示することである。したがって、小計算（１）が実行されると図４（７）に示すように、小計表示手段３及び合計表示手段４にそれぞれ小計や合計等が表示される。
【００５１】
次に小計算（２）「７９０×１０＝」を実行する。小計算（２）は小計算（１）と異なる事柄について説明する。最初に、上記と同様の方法で「７９０」を入力する。先ず置数キー５ａ中のキー「７」を入力操作する。上述したとおり、この「７」の入力前に数式記憶部１２ａはマルチキー５ｄの操作によってクリアにされたので、入力操作された「７」は最初の置数となる。したがって、ＣＰＵ８は、処理Ｓ１、Ｓ２、Ｓ３で「Ｙｅｓ」と判断した後に、数値表示領域３ａをクリアにし（Ｓ４）、置数処理を行う（Ｓ５）。したがって、図４（８）に示すように数値表示領域３ａに「７」を表示する。以下、小計算（１）と同様に入力操作を進め、数式「７９０×１０」を入力する。
【００５２】
小計算（２）「７９０×１０＝」を完了するために、マルチキー５ｄを入力操作すると、記号記憶部１２ｃにマルチキーを表す情報「Ｍ」があるか否かを判断する（Ｓ１２）。ここでは、「Ｍ」が記号記憶部１２ｃに格納されているので、ＣＰＵ８は処理Ｓ１２を「Ｎｏ」と判断して、処理Ｓ１５へ進む。したがって、記号表示領域３ｃに「Ｍ」をそのまま表示する。その後は、上記と同様に小計算実行（Ｓ１７）、小計算処理して（１８）、数値表示領域３ａに小計（２）を「７９００」と表示する。
【００５３】
さらに、この後に合計実行（Ｓ１９）、合計処理をする（Ｓ２０）。ここで、合計記憶手段１３には前小計までの合計、すなわち小計（１）までの合計「２１６００」が格納されていたので、ＣＰＵ８は算出した最新の小計である小計（２）「７９００」を合計記憶手段１３に格納し、既存の合計「２１６００」に加算して新しい合計、すなわち小計（２）までの合計「２９５００」を合計記憶手段１３に格納すると共に、図４（９）に示すように、合計表示手段４に表示する。
【００５４】
次に小計算（３）「１０００×８＝」も同様に実行すると、図４（１０）に示すように小計や合計等がそれぞれ小計表示手段３と合計表示手段４に表示される。したがって、ここで合計表示手段４に表示される数値「３７５００」が計算式Ａの求める値、すなわち小計（３）までの合計Ａとなる。
【００５５】
以上、図１３に記す計算式Ａの合計Ａを算出するまでの処理手順を入力操作毎に整理すると図１０（１）に示すようになる。小計算の実行とその小計算までの合計の算出を同時に行うので、特許文献１及び特許文献２に比して入力操作数が非常に少ない。したがって、入力時間が短縮する。また、操作の種類が少なく、操作するキーの種類も少ないので、入力操作は単純で誤操作する虞も少ない。
【００５６】
ここで、例えば合計Ａの税抜き計算を行う場合は、税計算キー５ｆを入力操作すると、ＣＰＵ８は、処理Ｓ１を「Ｙｅｓ」、処理Ｓ２、Ｓ６、Ｓ１１、Ｓ２１を「Ｎｏ」と判断し、操作された入力手段５が税計算キー５ｆか否かを判断する（Ｓ３１）。ここでは、操作された入力手段５がその他機能キー５ｃであるので、ＣＰＵ８は処理Ｓ３１を「Ｙｅｓ」と判断して、処理Ｓ３２へ進む。
【００５７】
次に、入力手段５の操作があるか否かを判断する（Ｓ３２）。この判断が「Ｎｏ」の場合には、ＣＰＵ８は同判断を繰り返す。入力手段５の操作があれば、その入力手段５が「＋」キー又は「−」キーか否か判断する（Ｓ３３）。この判断が「Ｎｏ」の場合には、ＣＰＵ８は同判断を繰り返す。「＋」キー又は「−」キーの操作があれば、記号記憶部１２ｃに税計算を示す情報「税込み」又は、「税抜き」があるか否かを判断する（Ｓ３４）。
【００５８】
ここでは、記号記憶部１２ｃに「Ｍ」が格納され、記号表示領域３ｃに「Ｍ」が表示されているので、ＣＰＵ８は記号表示領域３ｃと記号記憶部１２ｃとをクリアにする（Ｓ３５）。「＋」キーの場合は「税込み」を、「−」キーの場合「税抜き」をそれぞれ記号記憶部１２ｃに格納し、記号表示領域３ｃに表示して（Ｓ３６）、税計算実行し（Ｓ３７）、税計算処理する（Ｓ３８）。
【００５９】
税計算実行とは、「＋」キーの場合税込み計算を、「−」キーの場合税抜き計算を実行することで、合計記憶手段１３に格納されている合計を設定されている税率で税込み計算又は税抜き計算する。税計算処理とは、税込み計算又は税抜き計算の結果を合計記憶部１３に記憶して合計表示手段４に表示することである。
【００６０】
次にこの合計Ａ「３７５００」の検算を例えば小計算（３）〜小計算（１）の順番で実行する方法について説明する。
【００６１】
最初に、上記の合計Ａ「３７５００」が合計表示手段４に表示された後、そのまま引き続き入力操作を行う。小計（１）〜小計（３）で入力した手順と同様に数式「１０００×８」を入力すると図５（１）に示すようになる。ここで、数式記憶部１２ａには「１０００×８」を新たに記憶している。記号記憶部１２ｃには「Ｍ」を、合計記憶手段１３には「３７５００」を継続して記憶している。
【００６２】
次に、検算キー５ｅを入力操作すると、ＣＰＵ８は処理Ｓ１を「Ｙｅｓ」、処理Ｓ２、Ｓ６、Ｓ１１を「Ｎｏ」と判断し、操作された入力手段５が検算キー５ｅか否かを判断する（Ｓ１１）。この場合、操作された入力手段５は検算キー５ｅである（Ｓ２１を「Ｙｅｓ」と判断する）。
【００６３】
ＣＰＵ８は、上記のように、入力操作されたキーが検算キー５ｅであれば、記号記憶部１２ｃに検算キー５ｅを示す情報「Ｋ」があるか否かを判断する（Ｓ２２）。ここでは、記号記憶部１２ｃに格納されている情報は「Ｍ」であるので、ＣＰＵ８は記号表示領域３ｃと記号記憶部１２ｃとをクリアにし（Ｓ２３）、「Ｋ」を記号記憶部１２ｃに格納し、記号表示領域３ｃに表示する（Ｓ２４）。
【００６４】
ＣＰＵ８は、上記のように、「Ｋ」が記号表示領域３ｃに格納されると、数式記憶部１２ａの最後に格納されている情報が演算子であるか否かを判断する（Ｓ２５）。つまり、入力された数式が適切に表現されているか否かを確認する。したがって、ここでは、「８」が最後に格納された情報であるので、ＣＰＵ８は処理Ｓ２５を「Ｎｏ」と判断し、数式「１０００×８」を計算、すなわち小計算（３）を実行して（Ｓ２７）、小計処理する（Ｓ２８）。小計処理とは、処理Ｓ１７、Ｓ１８と同様である。
【００６５】
さらに、この後に検算を実行し（Ｓ２９）、検算処理する（Ｓ３０）。検算処理とは、算出された最新の小計を合計記憶手段１３に格納し、検算キー５ｅの操作前から合計記憶手段１３に格納されている合計から引いて新しい合計を格納すると共に、新しい合計を合計表示手段４に表示することである。したがって、図５（２）に示すように合計表示手段４に合計Ａから小計（３）を引いた数値「２９５００」が表示される。
【００６６】
次に小計算（２）「７９０×１０＝」を実行する。小計算（２）は小計（３）と異なる事柄について説明する。最初に、上記と同様の方法で「７９０」を入力する。先ず、置数キー５ａ中のキー「７」を入力操作する。上述したとおり、この「７」の入力前に数式記憶部１２ａは検算キー５ｅの操作によってクリアにされたので、入力操作された「７」は最初の置数となる。したがって、ＣＰＵ８は、処理Ｓ１、Ｓ２、Ｓ３で「Ｙｅｓ」と判断した後に、数値表示領域３ａをクリアにし（Ｓ４）、置数処理を行う（Ｓ５）。したがって、図５（３）に示すように数値表示領域３ａに「７」を表示する。以下、小計算（３）と同様に入力操作を進め、数式「７９０×１０」を入力する。
【００６７】
次に、小計算（２）「７９０×１０」を完了するために、検算キー５ｅを入力操作すると、記号記憶部１２ｃに「Ｋ」があるか否かを判断する（Ｓ２４）。ここでは、「Ｋ」が記号記憶部１２ｃに格納されているので、ＣＰＵ８は処理Ｓ２５を「Ｎｏ」と判断して、処理Ｓ２７へ進む。したがって、記号表示領域３ｃに「Ｋ」をそのまま表示する。その後は、上記と同様に小計算実行（Ｓ２７）、小計算処理して（２８）、数値表示部３ａに「７９００」と表示する。
【００６８】
さらに、この後に検算実行（Ｓ２９）、検算処理をする（Ｓ３０）。ここで、合計記憶手段１３には前計算式までの合計「２９５００」が格納されていたので、ＣＰＵ８は算出された最新の合計「７９００」を合計記憶手段１３に格納し、その前から合計記憶手段１３に格納されている合計「２９５００」から小計（２）「７９００」を引いて新しい合計「２１６００」を合計記憶手段１３に格納すると共に、図５（４）に示すように、合計表示手段４に表示する。
【００６９】
次に、小計算（１）「５４００×４＝」を実行する。上述したように数式「５４００×４」を入力操作して、検算キー５ｅを入力操作すると、ＣＰＵ８は小計算・検算を実行して図５（５）に示すように小計・合計をそれぞれ数値表示領域３ａ・合計表示手段４に表示する。このように、検算を実行した結果、合計が「０」になると計算Ａが正しかったことを表す。
【００７０】
ここで、例えば検算中に小計算（１）を誤って「５４０×４＝」と入力操作してしまうと、図５（６）に示すように小計・合計がそれぞれ数値表示領域３ａ・合計表示手段４に表示される。すなわち、合計Ａと検算Ａとで異なる結果が算出されたことを表す。この結果、誤って操作されたことが確認できる。
【００７１】
最後に、その他機能キー５ｃのＡＣキーが入力操作されると、ＣＰＵ８は、処理Ｓ１で「Ｙｅｓ」、処理Ｓ２・Ｓ６、Ｓ１１、Ｓ２１、Ｓ３１で「Ｎｏ」と判断し、操作された入力手段５がＡＣキーか否かを判断する（Ｓ３９）。この場合、操作された入力手段５はＡＣキーであるので、ＣＰＵ８は、処理Ｓ３９を「Ｙｅｓ」と判断し、小計表示手段３、合計表示手段４、小計記憶手段１２、合計表示手段１３をクリアにして電源を消す。
【００７２】
以上のように、小計算を逆の順番で実行して最後に算出された値が「０」であるか否かで、算出された合計を検算することができる。したがって、例えば置数の入力順序を検算途中で誤るような誤操作をしても、そのままキー「Ｃ」で誤った情報を一端消去することができるので、入力操作は中断されずに臨機応変に対応して修正できる。
【００７３】
（実施の形態２）
図６に示すように、電子式小型計算機１０１の外部構造は、各部品を収納する基体１０２と、小計された回数を表示する小計番号表示手段１０３とを具備する。その他上記実施の形態１と共通する部品等については同一の名称・符号を用い、説明を省略する。
【００７４】
小計番号表示手段１０３は、例えばＬＣＤやＥＬディスプレイ、ＰＤＰ等であり、小計表示手段３、合計表示手段４と同一の表示方式であることが望ましい。この場合、大量生産を効率的に行うことができるので、生産コストを削減することができる。また、小計番号表示手段１０３は小計表示手段３、合計表示手段４と形態が相違することが望ましい。例えば形状、大きさ、背面の色等の形態が相違すれば、小計番号を小計や合計とを間違う虞がない。
【００７５】
一方、図７に示すように、内部的に電子式小型計算機１０１は、ＣＰＵ１０８を備えている。ＣＰＵ１０８は、小計処理手段１０、合計処理手段１１、小計番号処理手段１０４に接続されている。
【００７６】
小計番号処理手段１０４は、小計番号表示手段１０３と小計番号記憶手段１０５を有する。小計番号表示手段１０３及び小計番号記憶手段１０５に適用される表示方式は、搭載される何れの演算処理を行うプログラムであっても同一である。小計番号記憶手段１０５には、小計が実行された順番が記憶される。小計が算出される毎に小計完了を表す信号が送信されて小計番号記憶手段１０５に格納されて小計番号処理され、既存の小計番号から新しい小計番号に更新されて記憶される。小計番号が小計番号記憶手段１０５に記憶されると同時に、小計番号表示手段１０３では小計番号が更新されて新しい小計番号が表示される。この小計完了を表す信号はマルチキー５ｄ又は検算キー５ｅの操作によって送信される。
【００７７】
この場合、マルチキー５ｄ又は検算キー５ｅの操作によって、小計番号処理されると同時に、その小計番号が新しい番号に更新される。この際、マルチキー５ｄ又は検算キー５ｅの操作により入力された小計完了信号を受けてＣＰＵ１０８は、小計番号記憶手段１０５で小計番号処理を実行して、新しい小計番号を小計番号記憶手段１０５に記憶し、小計番号表示手段１０３に表示する。
【００７８】
次に、図１３に記す計算式Ａの合計を算出する場合を例に、図８の処理手順に従う動作を説明する。実施の形態１と同一の処理手順については同一の符号を用い、説明を省略する。最初に、その他機能キー５ｃのＡＣキーを操作することによって、電子式小型計算機１０１の電源が入ると、ＣＰＵ１０８は、図示せぬ初期化処理を実行して、数値表示領域３ａ、合計表示手段４、小計番号表示手段１０３及び数式記憶部１２ａ、合計記憶手段１３、小計番号記憶手段１０５にそれぞれ「０」をセットして初期化する。
【００７９】
小計算（１）「５４００×４＝」を計算するために、マルチキー５ｄが入力操作されると、ＣＰＵ１０８は上述したとおり合計処理した（Ｓ２０）後に、小計番号実行し（Ｓ４０）、小計番号処理する（Ｓ４１）。小計番号処理とは、マルチキー５ｄの入力操作によって、ＣＰＵ１０８が小計完了信号を検出して、小計番号記憶手段１０５に読み込み、既存の小計番号を１つ増やし、小計番号表示手段１０３に小計番号を表示することである。ここで、図９（１）に示すように小計、合計、小計番号等がそれぞれ小計表示手段３、合計表示手段４、小計番号表示手段１０３に表示される。
【００８０】
したがって、小計算（１）〜小計算（３）を計算すると図９（２）に示すように、小計番号表示手段１０３に「３」と表示される。このように、小計番号が表示されることで、計算中に入力中の小計番号を確認することができるので、入力操作箇所を忘却することによる入力操作のやり直しを防止することができる。次に、図１３に記す計算式Ａの検算を行う場合の処理手順について説明する。
【００８１】
図９（２）に示すように、「３７５００」が合計表示手段４に表示されて合計Ａが算出された後、そのまま引き続き入力操作を行う。ここで、小計番号記憶手段１０５には「３」が記憶され、小計番号表示手段１０３には「３」と表示されている。上述したとおり数式「１０００×８」が入力されて、検算キー５ｅが入力操作されると、ＣＰＵ１０８は上述したとおり検算処理した（Ｓ３０）後に、小計番号実行し（Ｓ４２）、小計番号処理する（Ｓ４３）。小計番号勘定処理とは、検算キー５ｅの入力操作によって、ＣＰＵ１０８が小計完了信号を検出して、小計番号記憶手段１０５に読み込み、既存の小計番号を１つ減らし、図９（３）に示すように小計番号表示手段１０３に小計番号を表示することである。
【００８２】
したがって、図１３に記す計算式Ａを小計算（３）〜小計算（１）の順番で検算すると図９（４）に示すように、小計番号表示手段１０３に「０」と表示される。このように、小計番号が表示されることで、計算中に入力中の小計番号を確認することができるので、入力操作箇所を忘却することによる入力操作のやり直しを防止することができる。
【００８３】
最後に、その他機能キー５ｃのＡＣキーが入力操作されると、ＣＰＵ１０８は、処理Ｓ１で「Ｙｅｓ」、処理Ｓ２・Ｓ６、Ｓ１１、Ｓ２１、Ｓ３１で「Ｎｏ」と判断し、操作された入力手段５がＡＣキーか否かを判断する（Ｓ３９）。この場合、操作された入力手段５はＡＣキーであるので、ＣＰＵ１０８は、処理Ｓ３９を「Ｙｅｓ」と判断し、小計表示手段３、合計表示手段４、小計記憶手段１２、合計記憶手段１３、小計番号表示手段１０３、小計番号記憶手段１０５をクリアにする終了処理をし（Ｓ５０）、電源を消す。
【００８４】
以上のように、入力操作している小計算と小計算番号が同時に表示されるので、どの小計算を入力しているか簡単に確認することができる。したがって、入力している小計算を他の小計算を混同することがない。
【００８５】
（その他の実施の形態）
本発明は上記のような棚卸計算以外にも適用することができる。特に、給与計算や請求書計算等のように複数の小計算を足し合わせて合計を算出する計算に有効である。
【００８６】
基体２の形状や大きさ、入力手段５のキー配置等の形態や構造は上記に限られるものではなく、設計変更の範囲で適宜に変更できるものである。
【００８７】
電子式小型計算機１、１０１の内部的構造は上記に限られるものではなく、本発明の目的が達成される範囲において適宜に変更できるものである。処理手順についても同様である。
【００８８】
小計回数が表示されるのは、小計表示手段３及び合計表示手段４と別に設けられた小計回数表示手段１０３に限るものではなく、例えば、図１２（１）に示すように、小計表示手段３内で各領域３ａ〜３ｃと別の小計回数表示領域３ｄや、図１２（２）に示すように、合計表示手段４の合計が表示される領域と別の小計回数表示領域４ｄを設けてもよい。
【図面の簡単な説明】
【００８９】
【図１】電子式小型計算機１を表した平面図である。
【図２】電子式小型計算機１の構成を示した図である。
【図３】電子式小型計算機１の処理手順を示したフローチャートである。
【図４】（１）〜（１０）は電子式小型計算機１を用いて計算式Ａを実行して合計Ａを算出する際に小計表示手段３及び合計表示手段４に表示される状況を表した平面図である。
【図５】（１）〜（６）は電子式小型計算機１を用いて計算式Ａを実行して合計Ａを算出した後に検算する際に小計表示手段３及び合計表示手段４に表示される状況を表した平面図である。
【図６】電子式小型計算機１０１を表した平面図である。
【図７】電子式小型計算機１０１の構成を示した図である。
【図８】電子式小型計算機１０１の処理手順を示したフローチャートである。
【図９】（１）〜（４）は電子式小型計算機１０１を用いて計算式Ａを実行して合計Ａを算出し、その検算をする際に小計表示手段３及び合計表示手段４が表示されている状況を表した平面図である。
【図１０】（１）は実施の形態１における本発明を用いて計算式Ａを、（２）、（３）は特許文献１の発明を用いて計算式Ａを、（４）は特許文献２の発明を用いて計算式Ａを実行する入力操作及び表示される情報を表した図である。
【図１１】棚卸表を表した図である。
【図１２】（１）は小計回数が小計表示手段３に表示される場合を表し、（２）は小計回数が合計表示手段４に表示される場合を表した図である。
【図１３】計算式Ａを表した計算式である。
【符号の説明】
【００９０】
１………電子式小型計算機
２………基体
３………小計表示手段
３ａ……数値表示領域
３ｂ……演算子表示領域
３ｃ……記号表示領域
３ｄ……小計回数表示領域
４………合計表示手段
４ｄ……小計回数表示領域
５………入力手段
５ａ……置数キー
５ｂ……演算子キー
５ｃ……その他機能キー
５ｄ……マルチキー
５ｅ……検算キー
５ｆ……税計算キー
６………太陽電池
７………各種設定処理手段
７ａ……丸め処理設定スイッチ
７ｂ……桁数設定スイッチ
８………ＣＰＵ
９………ＲＯＭ
１０……小計処理手段
１１……合計処理手段
１２……小計記憶手段
１２ａ…数式記憶部
１２ｂ…小計記憶部
１２ｃ…記号記憶部
１３……合計記憶手段
１４……ＲＡＭ
１４ａ…丸め処理フラグレジスタ
１４ｂ…丸め桁数フラグレジスタ
１０１…電子式小型計算機
１０２…基体
１０３…小計番号表示手段
１０４…小計番号処理手段
１０５…小計番号記憶手段
１０８…ＣＰＵ
Ｗ１……基体幅
Ｗ２……小計表示手段幅
Ｗ３……合計表示手段幅
Ｈ１……基体高さ
Ｈ２……小計表示手段高さ
Ｈ３……合計表示手段高さ
Ｄ１……基体厚さ
【図１】
2008191771.tif 000003
【図２】
2008191771.tif 000004
【図３】
2008191771.tif 000005
【図４】
2008191771.tif 000006
【図５】
2008191771.tif 000007
【図６】
2008191771.tif 000008
【図７】
2008191771.tif 000009
【図８】
2008191771.tif 000010
【図９】
2008191771.tif 000011
【図１０】
2008191771.tif 000012
【図１１】
2008191771.tif 000013
【図１２】
2008191771.tif 000014
【図１３】
2008191771.tif 000015
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
電子式小型計算機であって、
小計が表示される小計表示手段と、
前記小計表示手段とは別に設けられ、前記小計の合計が表示される合計表示手段と、
前記合計を記憶する合計記憶手段と、
前記小計を算出すると共に、前記算出された小計を前記合計に加えて新たな合計を算出するための第１入力手段と、
前記小計を算出すると共に、前記算出された小計を前記合計から減じて新たな合計を算出するための第２入力手段と、
前記第１入力手段又は前記第２入力手段の操作を受けて、算出した新たな小計を前記小計表示手段に表示すると共に、前記新たな小計を前記合計記憶手段に記憶されている合計に加算又は減算する合計処理して新たな合計を算出し、前記新たな合計を前記合計表示手段に表示する制御手段とを備え、
前記制御手段は前記第１入力手段の操作を受けて小計番号を１つ足して表示し、前記第２入力手段の操作を受けて小計番号を１つ引いて表示することを特徴とする電子式小型計算機。
【請求項２】
前記小計表示手段と前記合計表示手段の形態が相違することを特徴とする請求項１に記載の電子式小型計算機。
【請求項３】
前記制御手段は前記第１入力手段又は前記第２入力手段の操作を受けて、前記合計表示手段の前記合計が表示される領域とは別の領域に、前記小計番号を表示することを特徴とする請求項１又は２に記載の電子式小型計算機。
【請求項４】
前記制御手段は前記第１入力手段又は前記第２入力手段の操作を受けて、前記小計表示手段の前記小計が表示される領域とは別の領域に、前記小計番号を表示することを特徴とする請求項１又は２に記載の電子式小型計算機。
【請求項５】
前記小計表示手段及び前記合計表示手段とは別に設けられた前記小計番号を表示する小計番号表示手段が設けられ、
前記制御手段は前記第１入力手段又は前記第２入力手段の操作を受けて、前記小計番号表示手段に前記小計番号を表示することを特徴とする請求項１又は２に記載の電子式小型計算機。
【手続補正２】
【補正対象書類名】明細書
【補正対象項目名】００１７
【補正方法】変更
【補正の内容】
【００１７】
本発明では、小計を算出する毎に、小計を小計表示手段に表示すると同時に、小計表示手段とは別に設けられた、小計の合計を表示する合計表示手段に合計を表示する。小計を連続して算出・表示しながら合計も算出・表示されるので、操作の種類が低減されて操作を選択する機会が低減される。したがって、操作ミスが軽減されると共に、操作を滑らかに進行する。また、小計と累計を逐一確認すること、早期に誤りを発見することが可能で、再計算が防止される。
【手続補正３】
【補正対象書類名】明細書
【補正対象項目名】００１８
【補正方法】変更
【補正の内容】
【００１８】
請求項１に記載の発明は、電子式小型計算機であって、小計が表示される小計表示手段と、前記小計表示手段とは別に設けられ、前記小計の合計が表示される合計表示手段と、前記合計を記憶する合計記憶手段と、前記小計を算出すると共に、前記算出された小計を前記合計に加えて新たな合計を算出するための第１入力手段と、前記小計を算出すると共に、前記算出された小計を前記合計から減じて新たな合計を算出するための第２入力手段と、前記第１入力手段又は前記第２入力手段の操作を受けて、算出した新たな小計を前記小計表示手段に表示すると共に、前記新たな小計を前記合計記憶手段に記憶されている合計に加算又は減算する合計処理して新たな合計を算出し、前記新たな合計を前記合計表示手段に表示する制御手段とを備え、前記制御手段は前記第１入力手段の操作を受けて小計番号を１つ足して表示し、前記第２入力手段の操作を受けて小計番号を１つ引いて表示することを特徴とする。
【手続補正４】
【補正対象書類名】明細書
【補正対象項目名】００２０
【補正方法】変更
【補正の内容】
【００２０】
小計表示手段と合計表示手段の形態は相違することがある（請求項２）。この場合、小計と合計とが確実に区別されるので、それぞれの誤認が防止される。
【手続補正５】
【補正対象書類名】明細書
【補正対象項目名】００２１
【補正方法】変更
【補正の内容】
【００２１】
さらに、前記制御手段は前記第１入力手段又は前記第２入力手段の操作を受けて、前記合計表示手段の前記合計が表示される領域とは別の領域に、前記小計番号を表示することがある（請求項３）。また、前記制御手段は前記第１入力手段又は前記第２入力手段の操作を受けて、前記小計表示手段の前記小計が表示される領域とは別の領域に、前記小計番号を表示することがある（請求項４）。この場合、どの小計後の合計であるかを容易に把握することができるので、計算途中で計算箇所の忘却や誤認が防止される。
【手続補正６】
【補正対象書類名】明細書
【補正対象項目名】００２２
【補正方法】変更
【補正の内容】
【００２２】
前記小計表示手段及び前記合計表示手段とは別に設けられた前記小計番号を表示する小計番号表示手段が設けられ、前記制御手段は前記第１入力手段又は前記第２入力手段の操作を受けて、前記小計番号表示手段に前記小計番号を表示することがある（請求項５）。この場合、小計番号が確実に把握される。